(57)【特許請求の範囲】
【請求項１】
絶縁ハウジングから装着方向に一対のタブ端子が突出した第１のヒューズが挿入・嵌合されるヒューズ挿入部、このヒューズ挿入部内に設けられて前記一対のタブ端子部が接続される相手側端子と、ヒューズ挿入部内に設けられて前記第１のヒューズの挿入位置を規制する第１ストッパー部とを備えたヒューズ装着部の構造であって、
絶縁ハウジングの両側に一対の平板端子部がそれぞれ設けられ該平板端子部間のピッチが前記一対のタブ端子部間のピッチと同寸法とされると共に前記ヒューズ挿入部内に挿入可能な第２のヒューズの挿入位置を規制し平板端子を前記相手側端子と接続する第２ストッパー部を前記ヒューズ挿入部に設けて、
ヒューズ挿入部に前記第１のヒューズ、第２のヒューズをそれぞれ装着可能とし、前記第１ストッパー部が前記ヒューズ挿入部の上部位置に設けられて前記第１のヒューズのハウジングが前記ヒューズ挿入部から突出し、前記第２ストッパー部が前記ヒューズ挿入部の下部位置に設けられて第２のヒューズのハウジングが前記ヒューズ挿入部に埋没され、
前記第１ストッパー部が、前記ヒューズ挿入部の対向する左右の内壁にそれぞれ設けられた一対のストッパー部材の上端に形成した互いに内側に向かう一対のテーパ部であり、該テーパ部に前記第１のヒューズの絶縁ハウジングに設けたテーパ部が当接することにより、前記ヒューズ挿入部に対する前記第１のヒューズの挿入位置を規制し、
前記第２ストッパー部が、前記ヒューズ挿入部内に設けられた下部壁であり、該下部壁の上端に前記第２のヒューズの絶縁ハウジングの下端縁が当接することにより、前記ヒューズ挿入部に対する前記第２のヒューズの挿入位置を規制するようにしたことを特徴とするヒューズ装着部の構造。
【請求項２】
請求項１に記載されたヒューズ装着部の構造が上面側に一体に形成されていることを特徴とする電気接続箱。
【発明の詳細な説明】
【０００１】
【発明の属する技術分野】
本発明は、電気接続箱等のヒューズ装着部の構造に関し、さらに詳しくは異なる形状のヒューズを任意に装着することができるヒューズ装着部の構造及び及びこのヒューズ装着部が形成された電気接続箱に関する。
【０００２】
【従来の技術】
図１２は、従来のヒューズ５０と、このヒューズ５０のヒューズ装着部６０を示す。ヒューズ５０は、図１３に示すように、一対の平行な金属平板端子（以下、平板端子という）５１，５１の間に可溶部５２を設けることでヒューズエレメント５６を構成し、該ヒューズエレメント５６の基端側（可溶部５２を設けた一端側）を絶縁ハウジング５３内に収容したブレード型ヒューズである。
【０００３】
前記平板端子５１は、それぞれ絶縁ハウジング５３内に収容される端子本体５４と、該絶縁ハウジング５３から外方（図１３中の下方）に大きく突出するタブ端子部５５とからなる。前記可溶部５２は、これら平板端子５１，５１の対向する内側縁５４ａ，５４ａの間に横架するように、所定の断面積をもって設けられている。また、前記絶縁ハウジング５３には、左右両端側の前後両側下端縁にテーパ部５３ａ，５３ａが設けられている。
【０００４】
そして、前記ヒューズ５０は、図１４に示すように、電気接続箱等のヒューズ装着部６０に装着され、前記タブ端子部５５，５５が該ヒューズ装着部６０の相手側端子６１，６１に挟持固定されることにより、該相手側端子６１，６１に電気的に接続される。
【０００５】
ヒューズ装着部６０は、図１４に示すように、相手側端子６１，６１を挿入する左右一対の相手側端子挿入部６２，６２と、ヒューズ５０を挿入・嵌合するヒューズ挿入部６３と、ヒューズ５０の絶縁ハウジング５３を支持するヒューズガイド壁６４とを備えたフード部６５からなる。
【０００６】
前記ヒューズガイド壁６４は、ヒューズ５０の挿入時の挿入案内と共に装着後のヒューズ５０のブレ等を防止する。
【０００７】
また、フード部６５内には、装着されたヒューズ５０のタブ端子部５５，５５の間の電流リークを防止するため、絶縁壁６６が設けられている。該絶縁壁６６の上端は、装着されたヒューズ５０の絶縁ハウジング５３の下端縁と当接することで、ヒューズ装着部６０に対するヒューズ５０の位置決めを行なっている。
【０００８】
尚、前記相手側端子６１は、図１５に示すように、例えば、バスバーの一端部に端子片を形成すると共に、該端子片の伸延方向に穿設したＵ字形スロット６１ｂにより先割れした前記端子片の上端を互いに内側に向けて膨出させて一対の挟持部６１ａ，６１ａを形成した所謂、音叉形接続端子である。
【０００９】
【発明が解決しようとする課題】
ところが、上記従来のヒューズ５０では、ヒューズ装着部６０が前記ヒューズガイド壁６４や絶縁壁６６により、ヒューズ装着方向に沿った高さ寸法が大きくなるため、電気接続箱等の大型化を招くという問題があった。
【００１０】
また、前記ヒューズ５０をヒューズ装着部６０に装着する際には、前記ヒューズガイド壁６４や絶縁壁６６に囲まれた奥深い底部に位置する相手側端子６１の挟持部６１ａ，６１ａにタブ端子部５５を挟持させねばならないため、ヒューズ５０の挿入作業性も良くなかった。
【００１１】
そこで、ヒューズ装着部を小型化すると共にヒューズの挿入作業性を向上させる目的で、従来のヒューズ５０と異なる小型化したヒューズ１０が開発されている（本願出願人による特願平１２−１４３９５２号等）。
【００１２】
図１６に示したヒューズ１０は、一対の平板端子部１１，１１の間に可溶部１２が設けられたヒューズエレメント１５を絶縁ハウジング１３内に組付けてなるブレード型ヒューズである。
【００１３】
前記各平板端子部１１は、それぞれ略矩形状を有しており、これら平板端子部１１，１１の対向する内側縁１１ａ，１１ａの間に横架するように、前記可溶部１２が所定の断面積をもって設けられている。
【００１４】
前記絶縁ハウジング１３は、略Ｔ字状を有する一対のハウジング部材１４，１４からなり、前記ヒューズエレメント１５を板厚方向から挟むようにして一体に結合され、溶着固定されている。
【００１５】
これにより、ヒューズエレメント１５に取付けられた絶縁ハウジング１３が、可溶部１２と共に各平板端子部１１の内側縁１１ａ及び上端縁１１ｃを覆っている。そこで、ヒューズエレメント１５は、各平板端子部１１の外側縁１１ｄ及び下端縁１１ｅから前記可溶部１２の側方に位置する中間部位１１ｆにかけての表裏面領域以外が絶縁ハウジング１３に覆われる。
【００１６】
そして、前記各平板端子部１１の中間部位１１ｆが、後述する一実施形態に係るヒューズ装着部２０の相手側端子２１に挟持固定されることにより、該相手側端子２１に電気的に接続される。
【００１７】
尚、各平板端子部１１の中間部位１１ｆ，１１ｆの間のピッチＰは、従来のヒューズ５０のタブ端子部５５，５５の間のピッチＰと同等に形成されている。
【００１８】
また、前記絶縁ハウジング１３における各平板端子部１１の上端縁１１ｃを覆う部位には、治具係合用段部１４ａが設けられている。該治具係合用段部１４ａは、ヒューズ装着部２０に装着されたヒューズ１０を取り外す際、ヒューズ抜き取り工具（図示しない）が係合する部分である。
【００１９】
上記のヒューズ１０は、図１３に示した従来のヒューズ５０におけるタブ端子部５５のように、絶縁ハウジング１５から外方に大きく突出するタブ端子部がなくなり、ヒューズ１０自体が正面視略矩形状となっている。
【００２０】
ところで、従来のヒューズ装着部６０では、ヒューズエレメント５６の基端側を絶縁ハウジング５３内に収容し、タブ端子部５５が絶縁ハウジング５３から外方に大きく突出する従来のヒューズ５０に合わせた構造になっていたため、上記のようなヒューズ１０自体が正面視略矩形状となる形状のヒューズ１０を装着することができない。このため、各ヒューズの形状に合わせた専用のヒューズ装着部が設けられた電気接続箱等を製造しなければならない。
【００２１】
そこで、本発明は、形状が異なるヒューズを任意に装着可能な互換性を有すると共にヒューズの挿入作業性を向上することができるヒューズ装着部の構造及びこのヒューズ装着部が形成された電気接続箱の提供を目的とする。
【００２２】
【課題を解決するための手段】
上記課題を解決するために、請求項１記載の発明は、絶縁ハウジングから装着方向に一対のタブ端子が突出した第１のヒューズが挿入・嵌合されるヒューズ挿入部、このヒューズ挿入部内に設けられて前記一対のタブ端子部が接続される相手側端子と、ヒューズ挿入部内に設けられて前記第１のヒューズの挿入位置を規制する第１ストッパー部とを備えたヒューズ装着部の構造であって、絶縁ハウジングの両側に一対の平板端子部がそれぞれ設けられ該平板端子部間のピッチが前記一対のタブ端子部間のピッチと同寸法とされると共に前記ヒューズ挿入部内に挿入可能な第２のヒューズの挿入位置を規制し平板端子を前記相手側端子と接続する第２ストッパー部を前記ヒューズ挿入部に設けて、ヒューズ挿入部に前記第１のヒューズ、第２のヒューズをそれぞれ装着可能とし、前記第１ストッパー部が前記ヒューズ挿入部の上部位置に設けられて前記第１のヒューズのハウジングが前記ヒューズ挿入部から突出し、前記第２ストッパー部が前記ヒューズ挿入部の下部位置に設けられて第２のヒューズのハウジングが前記ヒューズ挿入部に埋没され、前記第１ストッパー部が、前記ヒューズ挿入部の対向する左右の内壁にそれぞれ設けられた一対のストッパー部材の上端に形成した互いに内側に向かう一対のテーパ部であり、該テーパ部に前記第１のヒューズの絶縁ハウジングに設けたテーパ部が当接することにより、前記ヒューズ挿入部に対する前記第１のヒューズの挿入位置を規制し、前記第２ストッパー部が、前記ヒューズ挿入部内に設けられた下部壁であり、該下部壁の上端に前記第２のヒューズの絶縁ハウジングの下端縁が当接することにより、前記ヒューズ挿入部に対する前記第２のヒューズの挿入位置を規制するようにしたことを特徴とする。
【００２３】
このヒューズ装着部の構造では、第１のヒューズを装着する場合には、第１ストッパー部によりヒューズ挿入部に対する挿入位置が規制され、タブ端子部を相手側端子に接続する。また、第２のヒューズを装着する場合には、第２ストッパー部によりヒューズ挿入部に対する挿入位置が規制され、平板端子部の中間部位が相手側端子と接続する。
【００２４】
従って、このヒューズ装着部の構造では、形状が異なる第１のヒューズと第２のヒューズとを任意に装着することができ、互換性をもたせることができる。
【００２５】
また、従来のヒューズ装着部に比べて、ヒューズ装着部の全高を低くすることができ、ヒューズの挿入作業性が向上する。
【００２７】
また、このヒューズ装着部の構造では、第１のヒューズを装着する場合には、ヒューズ挿入部の上部位置に設けられた第１ストッパー部でヒューズ挿入部に対する挿入位置が規制されるので、絶縁ハウジングから装着方向に突出した一対のタブ端子部を相手側端子が挟持固定する。また、第２のヒューズを装着する場合には、ヒューズ挿入部の下部位置に設けられた第２ストッパー部でヒューズ挿入部の挿入位置が規制されるので、一対の平板端子部の中間部位と相手側端子が接続する。
【００２８】
従って、このヒューズ装着部の構造では、ヒューズ装着部でのヒューズの支持バランスを良くすることができる。
【００３０】
また、このヒューズ装着部の構造では、第１のヒューズを装着する場合、第１のヒューズの絶縁ハウジングのテーパ部が、ヒューズ挿入部に設けたストッパー部材上端のテーパ部に当接することにより絶縁ハウジングの下端縁とストッパー部材の上端とがテーパ係合されることで、ヒューズ挿入部に対する第１のヒューズの挿入位置が確実に規制される。
【００３１】
従って、このヒューズ装着部の構造では、ヒューズ装着部での第１のヒューズの支持バランスをより一層良くすることができる。
【００３３】
また、このヒューズ装着部の構造では、第２のヒューズを装着する場合、第２のヒューズの絶縁ハウジングの下端縁が、ヒューズ挿入部内に設けた下部壁の上端に当接することで、ヒューズ挿入部に対する第２のヒューズの挿入位置が確実に規制される。
【００３４】
従って、このヒューズ装着部の構造では、ヒューズ装着部での第２の支持バランスをより一層良くすることができる。
請求項２記載の電気接続箱では、請求項１に記載されたヒューズ装着部の構造が上面側に一体に形成されていることを特徴とする。
この電気接続箱では、形状が異なる第１のヒューズと第２のヒューズとを任意に装着することができ、ヒューズ装着部に互換性を持たせることが可能となる。
また、ヒューズ装着部の全高を低くすることができる。さらに、ヒューズ装着部での支持バランスを良くすることができる。
【００３５】
【発明の実施の形態】
以下、本発明の一実施形態に係るヒューズ装着部の構造を図面に基づいて説明する。
【００３６】
図１は、本発明の一実施形態に係るヒューズ装着部と、このヒューズ装着部に装着される異なるヒューズを示す斜視図、図２は図１に示すヒューズ装着部の構造を示す平面図、図３は図２のＡ−Ａ線に沿う断面図、図４は図２のＢ−Ｂ線に沿う断面図である。
【００３７】
ヒューズ装着部２０は、図１〜図４に示すように、絶縁ハウジング５３から装着方向に一対のタブ端子５５、５５が突出した第１のヒューズ（図１３に示す従来のヒューズ）５０が挿入・嵌合されるヒューズ挿入部２３と、このヒューズ挿入部２３内に設けられて一対のタブ端子部５５、５５が接続される相手側端子２１、２１と、ヒューズ挿入部２３内に設けられて第１のヒューズ５０の挿入位置を規制する第１ストッパー部２５と、絶縁ハウジング５３が挿入・嵌合されるフード部２４とを備えている。
【００３８】
また、本実施形態のヒューズ装着部２０は、絶縁ハウジング１３の両側に一対の平板端子部１１、１１がそれぞれ設けられこの平板端子部１１、１１間のピッチが一対のタブ端子部５５、５５間のピッチと同寸法とされると共にヒューズ挿入部２３内に挿入可能な第２のヒューズ（図１６に示す小型のヒューズ）１０の挿入位置を規制し平板端子を相手側端子２１、２１と接続する第２ストッパー部２６を備えている。
【００３９】
フード部２４の上端部には、ヒューズ抜き取り治具（図示しない）を挿脱可能な治具抜き取り用切り欠き部２７が設けられている。また、フード部２４の上端縁部には、ヒューズ挿入部２３にヒューズを挿入・嵌合する際、第１のヒューズ５０の絶縁ハウジング５３及び第２のヒューズ１０の絶縁ハウジング１３を挿入案内する挿入案内部２８が設けられている。
【００４０】
前記第１のヒューズ５０の挿入位置を規制する第１ストッパー部２５は、フード部２４の対向する左右の壁部２４ｂ，２４ｂの内壁にそれぞれ一対のストッパー部材２９，２９を該壁部２４ｂと一体に設け、各ストッパー部材２９，２９の上端に互いに内側に向かう一対のテーパ部３０，３０を形成して構成されている。
【００４１】
そして、前記一対のテーパ部３０，３０に、第１のヒューズ５０の絶縁ハウジング５３の下端縁のテーパ部５３ａ，５３ａが当接することで、ヒューズ装着部２０に対する第１のヒューズ５０の挿入位置を規制する。
【００４２】
前記第２のヒューズ１０の挿入位置を規制する第２ストッパー部２６は、フード部２４内のヒューズ挿入部２３の下端部に設けられた下部壁３１からなる。
【００４３】
そして、前記下部壁３１の上端に、第２のヒューズ１０の絶縁ハウジング１３の下端縁が当接することで、ヒューズ装着部２０に対する第２のヒューズ１０の挿入位置を規制する。
【００４４】
前記挿入案内部２８は、フード部２４の対向する前後の壁部２４ａ，２４ａのそれぞれの上部を切り欠いて形成された凹部３２，３２のそれぞれの両端段部と、前後の壁部２４ａ，２４ａの上縁部及び左右の壁部２４ｂ，２４ｂの上縁部との間に形成された内側に向かう傾斜面３３及び３４からなる。
【００４５】
前記治具挿脱用切り欠き部２７は、フード部２４の左右の壁部２４ａ，２４ａに上端部に形成されている。
【００４６】
こうして、ヒューズ装着部２０は構成され、図５に示すように、電気接続箱３４の上面側に一体に成形される。
【００４７】
図６〜図８は、図１３に示した第１のヒューズ５０をヒューズ装着部２０に装着した状態を示す。
【００４８】
第１のヒューズ５０は、絶縁ハウジング５３の下端縁のテーパ部５３ｂ，５３ｂを、ヒューズ装着部２０の第１ストッパー部２５であるテーパ部３０，３０に当接させることにより、ヒューズ装着部２０に装着され、前記タブ端子部５５，５５がヒューズ装着部２０の相手側端子２１，２１に挟持固定されることにより、該相手側端子２１，２１に電気的に接続される。
【００４９】
前記相手側端子２１は、図８に示すように、例えばバスバーの一端部に端子片を形成すると共に、該端子片の伸延方向に沿って穿設したＵ字形スロット２１ｂにより先割れした前記端子片の上端を互いに内側に向けて膨出させて一対の挟持部２１ａ，２１ａを形成した所謂、音叉形接続端子である。
【００５０】
尚、前記ヒューズ装着部２０の第１ストッパー部３０，３０は、第１のヒューズ５０のタブ端子部５５，５５を相手側端子２１，２１に挟持固定させられるように、フード部２４の上部位置に設けられている。
【００５１】
図９〜図１１は、図１６に示した第２のヒューズ１０をヒューズ装着部２０に装着した状態を示す。
【００５２】
第２のヒューズ１０は、絶縁ハウジング１３の下端縁を、ヒューズ装着部２０の第２ストッパー部２６である下部壁３１の上端に当接させることにより、ヒューズ装着部２０に装着され、前記平板端子部１１，１１の中間部位１１ｆ，１１ｆがヒューズ装着部２０の相手側端子２１，２１に挟持固定されることにより、該相手側端子２１，２１に電気的に接続される。
【００５３】
前記相手側端子２１は、図１１に示すように、例えばバスバーの一端部に端子片を形成すると共に、該端子片の伸延方向に沿って穿設したＵ字形スリット２１ｂにより先割れした前記端子片の上端を互いに内側に向けて膨出させて一対の挟持部２１ａ，２１ａを形成した所謂、音叉形接続端子である。
【００５４】
尚、前記ヒューズ装着部２０の第２ストッパー部２６は、第２のヒューズ１０の平板端子部１１，１１の中間部位１１ｆ，１１ｆを相手側端子２１，２１に挟持固定させられるように、フード部２４の下部位置に設けられ、ヒューズ装着部２０に装着した第２のヒューズ１０が、該ヒューズ装着部２０のヒューズ挿入部２３内に埋没するようになっている。
【００５５】
上記一実施形態のヒューズ装着部２０によれば、図１に示すように、該ヒューズ装着部２０のヒューズ挿入部２３の上部位置に設けた第１ストッパー部２５で第１のヒューズ５０の挿入位置を規制すると共に、ヒューズ挿入部２３の下部位置に設けた第２ストッパー部２６で第２のヒューズ１０の挿入位置を規制することにより、第１のヒューズ５０と第２のヒューズ１０を任意に装着することができ、互換性をもたせることができる。
【００５６】
また、従来のヒューズ装着部６０に比べて、ヒューズ装着部２０の全高を低くでき、ヒューズ５０，１０の挿入作業性が向上する。
【００５７】
【発明の効果】
以上の説明により明らかなように、請求項１記載のヒューズ装着部の構造によれば、形状が異なる第１のヒューズと第２のヒューズとを任意に装着することができる。従って、ヒューズ装着部に互換性をもたせることが可能となる。
【００５８】
また、従来のヒューズ装着部に比べて、ヒューズ装着部の全高を低くすることができ、ヒューズの挿入作業性を向上させることができる。
【００５９】
また、ヒューズ装着部でのヒューズの支持バランスを良くすることができる。
【００６０】
また、このヒューズ装着部の構造によれば、ヒューズ装着部での第１のヒューズの支持バランスをより一層良くすることができる。
【００６１】
また、このヒューズ装着部の構造によれば、ヒューズ装着部での第２のヒューズの支持バランスをより一層良くすることができる。
請求項２記載の電気接続箱によれば、形状が異なる第１のヒューズと第２のヒューズとを任意に装着することができ、ヒューズ装着部に互換性を持たせることが可能となる。また、ヒューズ装着部の全高を低くすることができる。さらに、ヒューズ装着部での支持バランスを良くすることができる。
【図面の簡単な説明】
【図１】本発明の一実施形態に係るヒューズ装着部と、このヒューズ装着部に装着されるヒューズを示す斜視図である。
【図２】図１に示すヒューズ装着部の構造を示す平面図である。
【図３】図２のＡ−Ａ線に沿う断面図である。
【図４】図２のＢ−Ｂ線に沿う断面図である。
【図５】図１に示すヒューズ装着部を電気接続箱に設置した一例を示す斜視図である。
【図６】図１に示すヒューズ装着部に第１のヒューズ（図１３に示す従来例のヒューズ）を装着した状態を示す平面図である。
【図７】図６のＣ−Ｃ線に沿う断面図である。
【図８】図６のＤ−Ｄ線に沿う断面図である。
【図９】図１に示すヒューズ装着部に第２のヒューズ（図１６に示す新型ヒューズ）を装着した状態を示す平面図である。
【図１０】図９のＥ−Ｅ線に沿う断面図である。
【図１１】図９のＦ−Ｆ線に沿う断面図である。
【図１２】従来例のヒューズ（第１のヒューズ）と、このヒューズが装着される従来例のヒューズ装着部を示す斜視図である。
【図１３】図１２に示すヒューズの正面図である。
【図１４】図１２に示すヒューズをヒューズ装着部に装着した状態を示す正面断面図である。
【図１５】図１２に示すヒューズをヒューズ装着部に装着した状態を示す側面図である。
【図１６】新型のヒューズ（第２のヒューズ）の正面図である。
【符号の説明】
１０  第２のヒューズ
１１  平板端子部
１１ｆ  中間部位
１３  絶縁ハウジング
２０  ヒューズ装着部
２１  相手側端子
２２  相手側端子挿入部
２３  ヒューズ挿入部
２５  第１ストッパー部
２６  第２ストッパー部
２９  ストッパー部材
３０  テーパ部
３１  下壁部
５０  第１のヒューズ
５１  平板端子
５３  絶縁ハウジング
５３ａ  テーパ部
５５  タブ端子部
【図１】
0004334126.tif 000002
【図２】
0004334126.tif 000003
【図３】
0004334126.tif 000004
【図４】
0004334126.tif 000005
【図５】
0004334126.tif 000006
【図６】
0004334126.tif 000007
【図７】
0004334126.tif 000008
【図８】
0004334126.tif 000009
【図９】
0004334126.tif 000010
【図１０】
0004334126.tif 000011
【図１１】
0004334126.tif 000012
【図１２】
0004334126.tif 000013
【図１３】
0004334126.tif 000014
【図１４】
0004334126.tif 000015
【図１５】
0004334126.tif 000016
【図１６】
0004334126.tif 000017